【手続補正書】
【提出日】平成25年2月13日(2013.2.13)
【手続補正１】
【補正対象書類名】特許請求の範囲
【補正対象項目名】全文
【補正方法】変更
【補正の内容】
【特許請求の範囲】
【請求項１】
基準信号とクロック信号とを受け取るように、前記基準信号と前記クロック信号とに基づいて第１および第２の信号を生成するように、予め定められた量だけ前記第１の信号を遅らせるように、前記遅れた第１の信号に基づいてリセット信号を生成するように、そして、前記リセット信号に基づいて前記第１および第２の信号をリセットするように構成された位相周波数検出器と、
前記第１および第２の信号を受け取り、そして、前記基準信号と前記クロック信号との間の位相誤差を示す出力信号を生成するように構成されたチャージポンプであって、前記予め定められた量の遅れは、前記チャージポンプのデッドゾーンを考慮するためのｏｎ時間と、周波数ロック達成後の前記クロック信号および前記基準信号の立ち上がりエッジ間の予期される最大時間差とを足したよりも大きい、チャージポンプと、
選択された複数の整数係数によって発振器信号を分周し、前記クロック信号を生成するように構成された分周器と、
非整数分周比を受け取り、前記複数の整数係数を選択するために分周器制御を生成するように構成されたシグマ−デルタ変調器と、
を備えるデバイス。
【請求項２】
前記第１の信号は、前記基準信号が前記クロック信号に対して早いことを示すｕｐ信号であり、そして、前記第２の信号は、前記基準信号が前記クロック信号に対して遅いことを示すｄｏｗｎ信号である、請求項１に記載のデバイス。
【請求項３】
前記第１の信号は、前記基準信号が前記クロック信号に対して遅いことを示すｄｏｗｎ信号であり、そして、前記第２の信号は、前記基準信号が前記クロック信号に対して早いことを示すｕｐ信号である、請求項１に記載のデバイス。
【請求項４】
前記位相周波数検出器は、さらに前記第２の信号に基づいて前記リセット信号を生成するように構成されている、請求項１に記載のデバイス。
【請求項５】
前記位相周波数検出器は、
前記基準信号を受け取り、前記第１の信号を供給するように構成された第１のフリップフロップと、
前記クロック信号を受け取り、前記第２の信号を供給するように構成された第２のフリップフロップと、
前記予め定められた量を提供するように構成された遅延ユニットと、
前記第１の信号および前記第２の信号に基づいて前記第１および第２のフリップフロップのためのリセット信号を生成するように構成された回路と、
を備える、
請求項１に記載のデバイス。
【請求項６】
前記位相周波数検出器は、
前記クロック信号を受け取り、前記第１の信号を供給するように構成された第１のフリップフロップと、
前記基準信号を受け取り、前記第２の信号を供給するように構成された第２のフリップフロップと、
前記予め定められた量を提供するように構成された遅延ユニットと、
前記第１の信号および前記第２の信号に基づいて前記第１および第２のフリップフロップのためのリセット信号を生成するように構成された回路と、
を備える、
請求項１に記載のデバイス。
【請求項７】
前記チャージポンプは、
前記出力信号に第１の電流を供給するように構成された第１の電流ソースと；
前記出力信号に第２の電流を供給するように構成された第２の電流ソースと、なお、前記第１および第２の電流は逆極性を有している；
前記第１の信号によってイネーブルにされたとき、前記第１の電流ソースを前記出力信号に結合するように構成された第１のスイッチと；
前記第２の信号によってイネーブルにされたとき、前記第２の電流ソースを前記出力信号に結合するように構成された第２のスイッチと；
を備える、
請求項１に記載のデバイス。
【請求項８】
前記チャージポンプからの出力信号をフィルタし、制御信号を生成するように構成されたループフィルタ、
をさらに備える請求項１に記載のデバイス。
【請求項９】
前記制御信号によって決定される周波数を有する前記発振器信号を生成するように構成された電圧制御発振器、
をさらに備える請求項８に記載のデバイス。
【請求項１０】
前記予期される最大時間差は、クロックサイクルのターゲット割合から決定される、請求項１に記載のデバイス。
【請求項１１】
基準信号とクロック信号とを受け取るように、前記基準信号と前記クロック信号とに基づいて第１および第２の信号を生成するように、予め定められた量だけ前記第１の信号を遅らせるように、前記遅れた第１の信号に基づいてリセット信号を生成するように、そして、前記リセット信号に基づいて前記第１および第２の信号をリセットするように構成された位相周波数検出器と、
前記第１および第２の信号を受け取り、そして、前記基準信号と前記クロック信号との間の位相誤差を示す出力信号を生成するように構成されたチャージポンプと、
選択された複数の整数係数によって発振器信号を分周し、前記クロック信号を生成するように構成された分周器と、
非整数分周比を受け取り、前記複数の整数係数を選択するために分周器制御を生成するように構成されたシグマ−デルタ変調器と、
を備える集積回路であって、
前記予め定められた量の遅れは、前記チャージポンプのデッドゾーンを考慮するためのｏｎ時間と、周波数ロック達成後の前記クロック信号および前記基準信号の立ち上がりエッジ間の予期される最大時間差とを足したよりも大きい、集積回路。
【請求項１２】
前記第１の信号は、前記基準信号が前記クロック信号に対して早いことを示すｕｐ信号であり、そして、前記第２の信号は、前記基準信号が前記クロック信号に対して遅いことを示すｄｏｗｎ信号である、請求項１１に記載の集積回路。
【請求項１３】
前記第１の信号は、前記基準信号が前記クロック信号に対して遅いことを示すｄｏｗｎ信号であり、そして、前記第２の信号は、前記基準信号が前記クロック信号に対して早いことを示すｕｐ信号である、請求項１１に記載の集積回路。
【請求項１４】
前記位相周波数検出器は、さらに前記第２の信号に基づいて前記リセット信号を生成するように構成されている、請求項１１に記載の集積回路。
【請求項１５】
前記位相周波数検出器は、
前記基準信号を受け取り、前記第１の信号を供給するように構成された第１のフリップフロップと、
前記クロック信号を受け取り、前記第２の信号を供給するように構成された第２のフリップフロップと、
前記予め定められた量を提供するように構成された遅延ユニットと、
前記第１の信号および前記第２の信号に基づいて前記第１および第２のフリップフロップのためのリセット信号を生成するように構成された回路と、
を備える、
請求項１１に記載の集積回路。
【請求項１６】
前記位相周波数検出器は、
前記クロック信号を受け取り、前記第１の信号を供給するように構成された第１のフリップフロップと、
前記基準信号を受け取り、前記第２の信号を供給するように構成された第２のフリップフロップと、
前記予め定められた量を提供するように構成された遅延ユニットと、
前記第１の信号および前記第２の信号に基づいて前記第１および第２のフリップフロップのためのリセット信号を生成するように構成された回路と、
を備える、
請求項１１に記載の集積回路。
【請求項１７】
前記チャージポンプは、
前記出力信号に第１の電流を供給するように構成された第１の電流ソースと；
前記出力信号に第２の電流を供給するように構成された第２の電流ソースと、なお、前記第１および第２の電流は逆極性を有している；
前記第１の信号によってイネーブルにされたとき、前記第１の電流ソースを前記出力信号に結合するように構成された第１のスイッチと；
前記第２の信号によってイネーブルにされたとき、前記第２の電流ソースを前記出力信号に結合するように構成された第２のスイッチと；
を備える、
請求項１１に記載の集積回路。
【請求項１８】
前記チャージポンプからの出力信号をフィルタし、制御信号を生成するように構成されたループフィルタ、
をさらに備える請求項１１に記載の集積回路。
【請求項１９】
前記制御信号によって決定される周波数を有する前記発振器信号を生成するように構成された電圧制御発振器、
をさらに備える請求項１８に記載の集積回路。
【請求項２０】
前記予期される最大時間差は、クロックサイクルのターゲット割合から決定される、請求項１１に記載の集積回路。
【請求項２１】
位相同期ループ（ＰＬＬ）において位相周波数検出器およびチャージポンプの線形動作を達成するための方法であって：
基準信号とクロック信号とに基づいて前記位相周波数検出器において第１および第２の信号を生成することと；
予め定められた量だけ前記第１の信号を遅らせることと、なお、前記予め定められた量の遅れは、前記チャージポンプのデッドゾーンを考慮するためのｏｎ時間と、周波数ロック達成後の前記クロック信号および前記基準信号の立ち上がりエッジ間の予期される最大時間差とを足したよりも大きい；
前記遅れた第１の信号に基づいてリセット信号を生成することと；
前記生成されたリセット信号に基づいて前記第１および第２の信号をリセットすることと；
前記第１および第２の信号に基づいて前記チャージポンプにおいて出力信号を生成することと、なお、前記出力信号は前記基準信号と前記クロック信号との間の位相誤差を示す；
前記クロック信号を生成するために複数の整数係数によって発振器信号を分周することと；
非整数分周比を達成するための前記複数の整数係数を選択するために分周器制御を生成することと；
を備える方法。
【請求項２２】
前記出力信号を前記生成することは、
前記第１の信号に基づいて、前記出力信号に第１の電流を供給することと；
前記第２の信号に基づいて、前記出力信号に第２の電流を供給することと、なお、前記第１および第２の電流は逆極性を有している；
を備える、
請求項２１に記載の方法。
【請求項２３】
前記チャージポンプからの出力信号をフィルタすることと、
制御信号を生成することと、
前記制御信号によって決定される周波数を有する前記発振器信号を生成することと、
をさらに備える請求項２１に記載の方法。
【請求項２４】
基準信号とクロック信号とに基づいて第１および第２の信号を生成するための手段と；
予め定められた量だけ前記第１の信号を遅らせるための手段と、なお、前記予め定められた量の遅れは、前記チャージポンプのデッドゾーンを考慮するためのｏｎ時間と、周波数ロック達成後の前記クロック信号および前記基準信号の立ち上がりエッジ間の予期される最大時間差とを足したよりも大きい；
前記遅れた第１の信号に基づいてリセット信号を生成するための手段と、
前記生成されたリセット信号に基づいて前記第１および第２の信号をリセットするための手段と；
前記第１および第２の信号に基づいて出力信号を生成するための手段と、なお、前記出力信号は前記基準信号と前記クロック信号との間の位相誤差を示す；
前記クロック信号を生成するために複数の整数係数によって発振器信号を分周するための手段と；
非整数分周比を達成するための前記複数の整数係数を選択するために分周器制御を生成するための手段と；
を備える装置。
【請求項２５】
前記出力信号を生成するための前記手段は、
前記第１の信号に基づいて、前記出力信号に第１の電流を供給するための手段と；
前記第２の信号に基づいて、前記出力信号に第２の電流を供給するための手段と、なお、前記第１および第２の電流は逆極性を有している；
を備える、
請求項２４に記載の装置。
【請求項２６】
前記チャージポンプからの出力信号をフィルタするための手段と、
制御信号を生成するための手段と、
前記制御信号によって決定される周波数を有する前記発振器信号を生成するための手段と、
をさらに備える請求項２４に記載の装置。
【請求項２７】
基準信号とクロック信号とを受け取るように、前記基準信号と前記クロック信号とに基づいて第１および第２の信号を生成するように、予め定められた量だけ前記第１の信号を遅らせるように、前記遅れた第１の信号に基づいてリセット信号を生成するように、そして、前記リセット信号に基づいて前記第１および第２の信号をリセットするように構成された位相周波数検出器と、
前記第１および第２の信号を受け取り、そして、前記基準信号と前記クロック信号との間の位相誤差を示す出力信号を生成するように構成されたチャージポンプと、
選択された複数の整数係数によって発振器信号を分周し、前記クロック信号を生成するように構成された分周器と、
非整数分周比を受け取り、前記複数の整数係数を選択するために分周器制御を生成するように構成されたシグマ−デルタ変調器と、
を含む位相同期ループ、
を備える無線デバイスであって、
前記予め定められた量の遅れは、前記チャージポンプのデッドゾーンを考慮するためのｏｎ時間と、周波数ロック達成後の前記クロック信号および前記基準信号の立ち上がりエッジ間の予期される最大時間差とを足したよりも大きい、無線デバイス。
【請求項２８】
前記チャージポンプからの出力信号をフィルタし、制御信号を生成するように構成されたループフィルタと、
前記制御信号によって決定される周波数を有する前記発振器信号を生成するように構成された電圧制御発振器と、
をさらに含む、
請求項２７に記載の無線デバイス。
【請求項２９】
前記第１の信号は、前記基準信号が前記クロック信号に対して早いことを示すｕｐ信号であり、そして、前記第２の信号は、前記基準信号が前記クロック信号に対して遅いことを示すｄｏｗｎ信号である、請求項２７に記載の無線デバイス。
【請求項３０】
前記第１の信号は、前記基準信号が前記クロック信号に対して遅いことを示すｄｏｗｎ信号であり、そして、前記第２の信号は、前記基準信号が前記クロック信号に対して早いことを示すｕｐ信号である、請求項２７に記載の無線デバイス。
【請求項３１】
前記位相同期ループの前記位相周波数検出器は、さらに前記第２の信号に基づいて前記リセット信号を生成するように構成されている、請求項２７に記載の無線デバイス。
【請求項３２】
前記位相同期ループの前記位相周波数検出器は、
前記基準信号を受け取り、前記第１の信号を供給するように構成された第１のフリップフロップと、
前記クロック信号を受け取り、前記第２の信号を供給するように構成された第２のフリップフロップと、
前記予め定められた量を提供するように構成された遅延ユニットと、
前記遅れた第１の信号および前記第２の信号に基づいて前記第１および第２のフリップフロップのためのリセット信号を生成するように構成された回路と、
を備える、
請求項２７に記載の無線デバイス。
【請求項３３】
前記位相同期ループの前記位相周波数検出器は、
前記クロック信号を受け取り、前記第１の信号を供給するように構成された第１のフリップフロップと、
前記基準信号を受け取り、前記第２の信号を供給するように構成された第２のフリップフロップと、
前記予め定められた量を提供するように構成された遅延ユニットと、
前記遅れた第１の信号および前記第２の信号に基づいて前記第１および第２のフリップフロップのためのリセット信号を生成するように構成された回路と、
を備える、
請求項２７に記載の無線デバイス。
【請求項３４】
前記位相同期ループの前記チャージポンプは、
前記出力信号に第１の電流を供給するように構成された第１の電流ソースと；
前記出力信号に第２の電流を供給するように構成された第２の電流ソースと、なお、前記第１および第２の電流は逆極性を有している；
前記第１の信号によってイネーブルにされたとき、前記第１の電流ソースを前記出力信号に結合するように構成された第１のスイッチと；
前記第２の信号によってイネーブルにされたとき、前記第２の電流ソースを前記出力信号に結合するように構成された第２のスイッチと；
を備える、
請求項２７に記載の無線デバイス。
【請求項３５】
前記予期される最大時間差は、クロックサイクルのターゲット割合から決定される、請求項２７に記載の無線デバイス。